(57)【要約】【課題】本体部の前面パネル上に自由にレイアウトが可能であって、意匠性が高く、良好な表示状態が得られる表示部を備えた空気調和機を提供することを目的とする。【解決手段】本体部前面を覆う不透明パネルからなる前面パネルの一部を透明パネル１４で覆い、前面パネルと対向する裏面側を表示面１２を除いて裏面塗装を施した裏面塗装部１４ａとし、本体部側にＬＥＤ素子１６が設けられ、前面パネルの裏面側に向けて光が発せられる。プリズムカバーは、前面パネルの裏面側に着脱可能に固定され、ＬＥＤ素子１６からの光を遮光し、そのプリズムカバー内に着脱可能にプリズム２０が固定されている。プリズム２０は、ＬＥＤ素子１６の発する光を取り込んで導く導光部２０ａと、導光部２０ａにより導かれた光を表示面１２から外部に向けて発する表示部２０ｂとでプリズムが構成されている。【選択図】図９
2011163686.tif 000002
【特許請求の範囲】
【請求項１】
本体部と、
前記本体部の前面の少なくとも一部を覆い、前記本体部に対して着脱可能に支持された不透明パネルからなる前面パネルと、
前記前面パネルの一部を覆い、前記前面パネルと対向する裏面側を、表示面を除いて裏面塗装が施された透明パネルと、
前記本体部側に設けられ、前記前面パネルの裏面側に向けて光を発する発光部と、
前記前面パネルの裏面側に着脱可能に固定され、前記発光部からの光を遮光する遮光カバーと、
前記遮光カバー内に着脱可能に固定され、前記発光部の発する光を取り込んで導く導光部と、該導光部により導かれた光を前記表示面から外部に向けて発する表示部とで構成されたプリズムと、
を備え、前記プリズムの表示部は、前記表示面と対向する面と、その面に隣接する面とが前記前面パネルで覆われると共に、前記透明パネルとの間に挟持され、前記発光部からの光を前記導光部から前記表示部へと導いて、前記表示部の前記表示面から外部へ光を発することを特徴とする空気調和機。
【請求項２】
本体部と、
前記本体部の前面の少なくとも一部を覆い、前記本体部に対して開閉可能に支持された不透明パネルからなる前面パネルと、
前記前面パネルの一部を覆い、前記前面パネルと対向する裏面側に裏面塗装が施されると共に、表示面となる部分に切欠き部が設けられた透明パネルと、
前記本体部側に設けられ、前記前面パネルの裏面側に向けて光を発する発光部と、
前記前面パネルの裏面側に着脱可能に固定され、前記発光部からの光を遮光する遮光カバーと、
前記遮光カバー内に着脱可能に固定され、前記発光部の発する光を取り込んで導く導光部と、該導光部により導かれた光を前記表示面から外部に向けて発する表示部とで構成されたプリズムと、
を備え、前記プリズムの表示部は、前記表示面と対向する面と、その面に隣接する面とが前記前面パネルで覆われると共に、前記透明パネルの前記切欠き部と嵌合して挟持され、前記切欠き部から前記表示部の一部を露出させ、前記発光部からの光を前記導光部から前記表示部へと導いて、前記表示部の前記表示面から外部へ光を発することを特徴とする空気調和機。
【請求項３】
前記プリズムの表示部は、前記前面パネルと前記透明パネルとの間に挟持され、前記透明パネルの前記切欠き部と嵌合して、前記表示部の一部が露出するように断面形状がＴ字型に構成されていることを特徴とする請求項２に記載の空気調和機。
【請求項４】
前記プリズムの導光部は、前記発光部から前記表示部の前記表示面までの間を導光する導光路で構成されていることを特徴とする請求項１から３のいずれか一項に記載の空気調和機。
【請求項５】
前記透明パネルは、裏面塗装が施される面に凹凸部を設けたことを特徴とする請求項１から４のいずれか一項に記載の空気調和機。
【請求項６】
前記プリズムの表示部は、その表面の少なくとも一部に光を拡散させる凹凸部を設けたことを特徴とする請求項１から５のいずれか一項に記載の空気調和機。
【発明の詳細な説明】
【技術分野】
【０００１】
本発明は、室内機の前面パネル上に表示面が設けられた空気調和機に関する。
【背景技術】
【０００２】
従来、空気調和機には、温度調節機能、除湿加湿機能、換気機能、空気清浄機能、除菌機能といった様々な機能が搭載されている。これらの機能の設定操作は、室内機とは別のリモートコントローラを使って行われる。また、室内機側には、現在の室内環境や運転状況等を表示するための表示部が設けられている。
【０００３】
例えば、特許文献１の空気調和機は、ユニット本体の前面を覆う開閉可能な化粧パネルと吹出しルーバーとの間に開口部を設け、その開口部から表示部が露出するように構成されている。この表示部は、前面パネルの開口部にプリズムが設けられ、プリズムの後方に配置された２つのＬＥＤを発光させることにより、フィルター等の清掃時期の到来を知らせるものである。
【先行技術文献】
【特許文献】
【０００４】
【特許文献１】特開２００４−１１６８７６号公報
【発明の概要】
【発明が解決しようとする課題】
【０００５】
しかしながら、このような特許文献１の空気調和機にあっては、表示部がユニット本体の前面パネルの開口部に設けられ、開口部から露出するプリズムと、プリズムを支えるプリズム支持部と、プリズム後方の配線基板上に配置されたＬＥＤとがプリズムカバーでユニット化されている。このため、特許文献１の表示部は、開閉動作を行う大面積の化粧パネル上ではなく、ユニット本体に固定された狭い面積からなる前面パネル上に設置されることから、レイアウトの自由度が少なく、意匠性を発揮することが難しいという問題があった。
【０００６】
そこで、ユニット本体前面を覆う開閉可能な大面積の前面パネルに表示部を設けることが考えられる。しかし、前面パネルは、プラスチック等を用いて射出成形するため、表示部関連の部品を搭載しようとすると、パネルの厚さが厚くなり、また固定用の爪等を裏面側に多数形成する必要がある。しかし、射出成形を行う前面パネルは、パネルの厚さを厚くして、裏面側に爪等の突起部を多数設けると、射出成形後の冷却時に収縮ムラが生じ、厚さが不均一となるヒケが発生し易くなる。このため、従来の空気調和機は、前面パネルに表示部を設けようとすると、レイアウトの自由度が少なく、また前面パネルにヒケ等が生じ、良好な意匠性が得られないという問題があった。
【０００７】
また、特許文献１の表示部は、前面パネルの開口部からプリズムを露出させる構造を採用している。このため、プリズムは、前面パネルの厚さに加えて、ＬＥＤからの光を導く導光部と、その導光部から導かれた光を反射させて発光させる表示部とが必要になり、プリズムを厚く成形せざるを得なかった。しかし、プリズムは、一般的にアクリル系の樹脂を射出成形することで製造しているが、プリズムの厚さが厚くなると、上記した前面パネルの場合と同様にヒケが発生し易くなり、表示ムラが生じるという問題があった。
【０００８】
本発明は、上記に鑑みてなされたものであって、本体部の前面パネル上に自由にレイアウトが可能であって、意匠性が高く、良好な表示状態が得られる表示部を備えた空気調和機を提供することを目的とする。
【課題を解決するための手段】
【０００９】
上述した課題を解決し、目的を達成するために、本発明は、本体部と、前記本体部の前面の少なくとも一部を覆い、前記本体部に対して着脱可能に支持された不透明パネルからなる前面パネルと、前記前面パネルの一部を覆い、前記前面パネルと対向する裏面側を、表示面を除いて裏面塗装が施された透明パネルと、前記本体部側に設けられ、前記前面パネルの裏面側に向けて光を発する発光部と、前記前面パネルの裏面側に着脱可能に固定され、前記発光部からの光を遮光する遮光カバーと、前記遮光カバー内に着脱可能に固定され、前記発光部の発する光を取り込んで導く導光部と、該導光部により導かれた光を前記表示面から外部に向けて発する表示部とで構成されたプリズムと、を備え、前記プリズムの表示部は、前記表示面と対向する面と、その面に隣接する面とが前記前面パネルで覆われると共に、前記透明パネルとの間に挟持され、前記発光部からの光を前記導光部から前記表示部へと導いて、前記表示部の前記表示面から外部へ光を発することを特徴とする。
【００１０】
また、本発明は、本体部と、前記本体部の前面の少なくとも一部を覆い、前記本体部に対して開閉可能に支持された不透明パネルからなる前面パネルと、前記前面パネルの一部を覆い、前記前面パネルと対向する裏面側に裏面塗装が施されると共に、表示面となる部分に切欠き部が設けられた透明パネルと、前記本体部側に設けられ、前記前面パネルの裏面側に向けて光を発する発光部と、前記前面パネルの裏面側に着脱可能に固定され、前記発光部からの光を遮光する遮光カバーと、前記遮光カバー内に着脱可能に固定され、前記発光部の発する光を取り込んで導く導光部と、該導光部により導かれた光を前記表示面から外部に向けて発する表示部とで構成されたプリズムと、を備え、前記プリズムの表示部は、前記表示面と対向する面と、その面に隣接する面とが前記前面パネルで覆われると共に、前記透明パネルの前記切欠き部と嵌合して挟持され、前記切欠き部から前記表示部の一部を露出させ、前記発光部からの光を前記導光部から前記表示部へと導いて、前記表示部の前記表示面から外部へ光を発することを特徴とする。
【００１１】
また、本発明は、前記プリズムの表示部は、前記前面パネルと前記透明パネルとの間に挟持され、前記透明パネルの前記切欠き部と嵌合して、前記表示部の一部が露出するように断面形状がＴ字型に構成されていることが好ましい。
【００１２】
また、本発明は、前記プリズムの導光部は、前記発光部から前記表示部の前記表示面までの間を導光する導光路で構成されていることが好ましい。
【００１３】
また、本発明は、前記透明パネルは、裏面塗装が施される面に凹凸部を設けたことが好ましい。
【００１４】
また、本発明は、前記プリズムの表示部は、その表面の少なくとも一部に光を拡散させる凹凸部を設けたことが好ましい。
【発明の効果】
【００１５】
本発明によれば、本体部の前面パネル上に自由にレイアウトが可能であって、意匠性が高く、良好な表示状態が得られる表示部を備えた空気調和機が得られるという効果を奏する。
【図面の簡単な説明】
【００１６】
【図１】図１は、本発明にかかる空気調和機全体の外観斜視図である。
【図２】図２は、図１の空気調和機の前面パネルの外観斜視図である。
【図３】図３は、図２の前面パネルの透明パネルとプリズムとを示す外観斜視図である。
【図４】図４は、図２の前面パネルから透明パネルを取り外した状態を示す外観斜視図である。
【図５】図５は、図２の前面パネルを裏側から見た外観斜視図である。
【図６】図６は、図３の透明パネルを裏側から見た外観斜視図である。
【図７】図７は、図６のプリズムとプリズムカバーとを拡大した外観斜視図である。
【図８】図８は、本実施例１におけるプリズム形状を示す外観斜視図である。
【図９】図９は、図８のプリズムを図３のように透明パネルに装着した状態を拡大した外観斜視図である。
【図１０】図１０は、本実施例２におけるプリズム形状を示す外観斜視図である。
【図１１】図１１は、図１０のプリズムを図３のように透明パネルに装着した状態を拡大した外観斜視図である。
【発明を実施するための形態】
【００１７】
以下に、本発明にかかる空気調和機の実施例を図面に基づいて詳細に説明する。なお、この実施例によりこの発明が限定されるものではない。
【実施例１】
【００１８】
図１は、本発明にかかる空気調和機全体の外観斜視図であり、図２は、図１の空気調和機の前面パネルの外観斜視図であり、図３は、図２の前面パネルの透明パネルとプリズムとを示す外観斜視図であり、図４は、図２の前面パネルから透明パネルを取り外した状態を示す外観斜視図であり、図５は、図２の前面パネルを裏側から見た外観斜視図であり、図６は、図３の透明パネルを裏側から見た外観斜視図であり、図７は、図６のプリズムとプリズムカバーとを拡大した外観斜視図であり、図８は、本実施例１におけるプリズム形状を示す外観斜視図であり、図９は、図８のプリズムを図３のように透明パネルに装着した状態を拡大した外観斜視図である。
【００１９】
図１に示すように、実施例１の空気調和機の室内機１００は、外形が横長の直方体状に形成されている。室内機１００の筐体の前面には、不透明パネル１０ａからなる前面パネル１０が本体部１００ａに対して着脱可能に設置されると共に、その前面パネル１０の一部が発光表示を行う表示面１２を含む透明パネル１４で覆われている。本体部１００ａの上部には、不図示の吸込口が形成されており、筐体の下部には、吹出口１５０が形成されている。 
【００２０】
図１の室内機１００の前面パネル１０部分を取り外した斜視図が図２である。図２に示すように、前面パネル１０は、取付け部１０ｂにより本体部１００ａに対して着脱可能に支持されている。前面パネル１０を構成する不透明パネル１０ａは、プラスチックを射出成形したもので、ここでは、裏面塗装が施された透明パネル１４により、不透明パネル１０ａの一部が覆われている。透明パネル１４は、中央付近に裏面塗装が施されていない矩形状のクリアな表示面１２が形成されている。この表示面１２は、後述するプリズムの表示部が発する光を外部へ表示する面である。このように、裏面塗装が施された透明パネル１４は、不透明パネル１０ａの平面的な質感と異なり、奥行き感のある立体的な質感が得られるため、より意匠性を高めることができる。なお、本実施例１では、表示面１２を、オゾンとイオンを空気中に放出して室内機１００の内部や室内空間を除菌作用によりクリーンにするツイン除菌用の表示面として用いているが、これに限定されない。
【００２１】
図２の前面パネル１０から透明パネル１４部分を取り外した斜視図が図３である。図３に示すように、透明パネル１４は、裏面塗装が施されている裏面塗装部１４ａと、裏面塗装の施されていない表示面１２を構成するクリア部１４ｂとに分かれている。また、透明パネル１４の側面には、取付け用のピン１４ｃが所定間隔毎に配置されている。このピン１４ｃは、図２の不透明パネル１０ａに設けられた不図示の取付け孔に嵌合させて固定するものである。クリア部１４ｂの裏面側には、表示面１２から光を発生させるためのプリズム２０が配置されている。プリズム２０は、光を導く導光部２０ａと、導かれた光を発光させる表示部２０ｂとで構成されている。導光部２０ａは、ＬＥＤ素子などの発光部から光を取り込む光入射面２０ｃと、取り込んだ光を特定方向に反射させる反射面２０ｄとを備えている。
【００２２】
図２の前面パネル１０から透明パネル１４を取り外した斜視図が図４である。図４に示すように、透明パネル１４を取り付ける前面パネル１０の部分は、透明パネル１４の厚さ分だけ奥行き方向に後退させた不透明パネルからなる下地パネル１０ｃで構成されている。下地パネル１０ｃの中央部付近には、図３に示したプリズム２０の表示部２０ｂを裏面側から嵌合支持する表示部用溝１０ｄと、表示部２０ｂの端面２０ｇからの光漏れを防ぐ突き当て壁１０ｅとが設けられている。また、プリズム２０の導光部２０ａは、表示部用溝１０ｄの開口部１０ｆから不透明パネル１０ａの裏面側に突き出して設置される。
【００２３】
図２の前面パネル１０を裏側から見た斜視図が図５である。図５に示すように、下地パネル１０ｃの表示部用溝１０ｄには、プリズム２０が装着され、開口部１０ｆから導光部２０ａが延設されている。プリズム２０の導光部２０ａと前面パネル１０との間には、光が不透明パネル１０ａを透過して、光が前面側に漏れるのを防止するための遮光カバーとしてのプリズムカバー１８が配置されている。このプリズムカバー１８には、不透明パネル１０ａの裏面側に突き出た２つの取付け爪１０ｇに挟持される爪受け部１８ａが形成されている。また、プリズムカバー１８内には、プリズム２０の導光部２０ａを固定するための内爪１８ｂが形成されている。このため、前面パネル１０の不透明パネル１０ａの裏面側には、１組の取付け爪１０ｇを形成するだけで、プリズムカバー１８とプリズム２０の導光部２０ａとを一緒に固定することができる。このように、前面パネル１０の裏面側には、表示部関連の部品を固定するための突起を設ける場合であっても、必要最小限の突起を設けるだけで済むため、前面パネル１０の射出成形時におけるヒケの発生を抑えることができる。
【００２４】
なお、取付け爪１０ｇの直下に配設されている固定爪１０ｈは、前面パネル１０が取付け部１０ｂを介して本体部１００ａと接続され、白抜き矢印Ａ方向に開いた後、閉じる際に本体部１００ａに固定するための爪である。
【００２５】
図３の透明パネルを裏側から見た斜視図が図６である。図６に示すように、透明パネル１４の裏側は、裏面塗装が施されるが、本実施例１の裏面形状は平面ではなく、筋状の凹凸部（ローレット加工）１４ｄが施されている。このように、透明パネル１４は、裏面側をローレット加工してから裏面塗装を施すことにより、裏面塗装による奥行き感に加えて、ローレット加工による陰影が加わり、一層立体感のある意匠効果を得ることができる。実施例１では、透明パネル１４の裏面側をローレット加工した例で説明したが、これに限定されず、レリーフ状の起伏のある文様や文字や図柄を入れて裏面塗装を行うようにしても良い。これにより、実施例１における空気調和機の室内機１００は、前面パネル部分に意匠性の高いデザインを、自由かつ容易に施すことができるという効果を奏する。
【００２６】
図６のプリズムカバー１８にプリズム２０が装着された状態を拡大した斜視図が図７である。図７に示すように、プリズム２０は、プリズムカバー１８の内爪１８ｂを介して保持されると共に、プリズム２０の段差部２０ｆにプリズムカバー１８の当接部１８ｃを当接させることにより位置決めされる。位置決めされたプリズム２０とプリズムカバー１８は、図５に示すように、表示部用溝１０ｄの開口部１０ｆに対してプリズム２０の表示部２０ｂを摺動させながら挿入し、プリズムカバー１８の爪受け部１８ａに前面パネル１０の裏面側に設けられた取付け爪１０ｇを係合させることにより、所定位置に固定することができる。プリズム２０とプリズムカバー１８を前面パネル１０から取り外す場合は、図７に示すように、プリズムカバー１８の爪受け部１８ａの内側に空洞が設けられ、可撓性を有しているため、両側から爪受け部１８ａを摘んで引き抜きながら摺動させることで容易に取り外すことができる。このように、実施例１のプリズム２０とプリズムカバー１８とは、前面パネル１０に対して容易に着脱することが可能である。
【００２７】
また、図７に示すように、実施例１のプリズム２０の表示部２０ｂは、表示面１２と対向する面に微細な凹凸部（シボ加工）２０ｅが施されている。この凹凸部２０ｅは、入射光を散乱させて、発光状態を変化させることにより、一定の視覚効果を得ることができる。また、凹凸部２０ｅの大きさや、形状、配列状態等を変えることにより、さらに種々の視覚効果を得ることができる。なお、この実施例１では、凹凸部２０ｅを表示面１２と対向する面にのみ施した例を示したが、この面と隣接する面、あるいは、表示面１２の一部または全部に施すようにしても良い。
【００２８】
本実施例１におけるプリズム２０の形状を示す斜視図が図８である。図８に示すように、実施例１のプリズム２０は、導光部２０ａと表示部２０ｂとで構成されている。導光部２０ａは、ＬＥＤ素子１６から光を取り込む光入射面２０ｃと、取り込んだ光を特定方向に反射させる反射面２０ｄとを備えている。また、導光部２０ａと表示部２０ｂとの境目は、幅方向に段差部２０ｆが設けられているが、厚さ方向には僅かな段差部があるだけで、略同じ厚さに構成されている。これは、実施例１のプリズム２０の表示面１２は、図９に示すように、透明パネル１４のクリア部１４ｂの裏面側に配置されているため、プリズム２０の導光部２０ａと表示部２０ｂとを略同じ厚さにすることができる。これに対して、特許文献１のプリズムは、前面パネルの厚さに、ＬＥＤからの光を導く導光部と、その導光部から導かれた光を発光させる表示部との厚さが加わるため、プリズムを厚く成形せざるを得なかった。このように、実施例１のプリズム２０は、引用文献１よりも厚さを薄く成形できることから、アクリル系樹脂を使って射出成形する場合でも、射出成形後の冷却時に温度ムラが発生し難く、収縮差により厚さが不均一となるヒケの発生を効果的に抑制することができる。その結果、プリズム２０の表示性能が安定し、良好な表示性能が得られると共に、プリズム２０の製造時における歩留りを向上させることができる。
【実施例２】
【００２９】
図１０は、本実施例２におけるプリズム形状を示す外観斜視図であり、図１１は、図１０のプリズムを図３のように透明パネルに装着した状態を拡大した外観斜視図である。
【００３０】
図１０に示すように、実施例２におけるプリズム２００は、導光部２００ａと表示部２００ｂとで構成されている。上記実施例１と異なる点は、表示部２００ｂの断面形状（端面２００ｇの形状）をＴ字型とし、図１１に示す透明パネル１４０に設けられた切欠き部１４０ｂからプリズム２００の表示部２００ｂの表示面１２が露出するように構成した点にある。
【００３１】
図１０に示すプリズム２００は、図１の室内機１００の本体部１００ａ側に設けられた発光部としてのＬＥＤ素子１６から発せられた光が、光入射部２００ｃから入射されると、入射光に対して反射面２００ｄが傾斜して配置されているため、反射面２００ｄで反射され、導光部２００ａから表示部２００ｂに導かれて発光し、表示面１２から外部へ発光表示される。
【００３２】
本実施例２における表示部２００ｂは、透明パネル１４０の表示面１２に相当する部分に切欠き部１４０ｂが設けられ、その切欠き部１４０ｂに表示部２００ｂの断面Ｔ字型の一部が露出するように嵌合させる。切欠き部１４０ｂに表示部２００の一部を嵌合させた状態を示したのが、図１１である。このように、表示面１２は、透明パネル１４０の切欠き部１４０ｂから露出するように構成したため、切欠き部１４０ｂ以外の透明パネル１４０は全て裏面塗装部１４０ａとすることができる。このため、実施例１において透明パネル１４に裏面塗装する場合は、表示面１２に相当する部分にマスキングを施して行う必要があるが、本実施例２では、マスキングすることなく裏面全体を塗装すれば良いため、塗装の処理工程を減らすことができる。
【００３３】
なお、上記実施例１および２においては、発光部として単色のＬＥＤ素子１６を用いて実施したが、これに限定されず、赤色、緑色、青色の３色のＬＥＤ素子を１組の発光部として用いるようにしても良い。その際、赤色、緑色、青色の３色のＬＥＤ素子を同時発光させた場合は、白色光を得ることができ、３色のＬＥＤ素子のいずれか１色、あるいは２色を組み合わせて発光させることにより、種々の色で表示面１２を発光表示させることができる。
【００３４】
また、上記実施例１および２では、プリズムの表示部における表面の一部または全部をシボ加工により凹凸部を設けた例を示している。しかし、これ以外の実施例としては、プリズムの表示部の内部に光拡散部材をランダムに散在させたり、プリズム製造後にレーザ等を照射して表示部内のアクリル系樹脂に気泡を発生させたりすることにより、導光部から導かれた光を表示部内でも拡散させることが可能となり、光拡散部材の配置位置や密度に応じて発光表示状態を変化させるようにしても良い。
【００３５】
また、上記実施例１および２では、プリズムに使用したアクリル系樹脂は、無色透明なものを使用したが、必ずしもこれに限定されず、交換用のプリズムとして種々の色に着色したアクリル系樹脂を予め用意しておき、ユーザが状況に応じて自分の好きな色のプリズムに交換することにより、ユーザの好みに合った発光表示を楽しめるようにすることも可能である。また、プリズムに用いられる樹脂は、アクリル系樹脂に限定する趣旨ではなく、種々のプリズム材料を用いることができる。
【００３６】
また、上記実施例１および２では、プリズムが導光部と表示部とで構成されており、図８や図１０に示すような直線形状のものが用いられているが、導光部は必ずしも直線形状である必要はなく、導光路のように複数の反射面を介して所望の方向へ光を屈曲させることが可能である。このため、上記以外の実施例に係るプリズム形状としては、表示面の位置と本体部側に設けられたＬＥＤ素子などの発光部の位置とが離れてレイアウトされていても、それらの間をつなぐようにプリズムの導光部を屈曲させて配置することにより、発光表示を行うことが可能となる。このように、導光部を屈曲可能なプリズムで構成した場合は、表示面と発光部のレイアウトの自由度が上がるため、前面パネルのどの場所であっても表示面を設けることが可能となる。
【産業上の利用可能性】
【００３７】
以上のように、本発明にかかる空気調和機は、前面パネルに発光表示させる表示面を備えた空気調和機に有用であり、特に、意匠性の高い前面パネルを備えた空気調和機に適している。
【符号の説明】
【００３８】
１０  前面パネル
１０ａ  不透明パネル
１０ｂ  取付け部
１０ｃ  下地パネル
１０ｄ  表示部用溝
１０ｅ  突き当て壁
１０ｆ  開口部
１０ｇ  取付け爪
１２  表示面
１４  透明パネル
１４ａ  裏面塗装部
１４ｂ  クリア部
１４ｃ  ピン
１４ｄ  凹凸部
１６  ＬＥＤ素子
１８  プリズムカバー
１８ａ  爪受け部
１８ｂ  内爪
１８ｃ  当接部
２０  プリズム
２０ａ  導光部
２０ｂ  表示部
２０ｃ  光入射面
２０ｄ  反射面
２０ｅ  凹凸部
２０ｆ  段差部
２０ｇ  端面
１００  室内機
１００ａ  本体部
１４０  透明パネル
１４０ａ  裏面塗装部
１４０ｂ  切欠き部
１４０ｃ  ピン
１５０  吹出口
２００  プリズム
２００ａ  導光部
２００ｂ  表示部
２００ｃ  光入射面
２００ｄ  反射面
２００ｆ  段差部
２００ｇ  端面
【図１】
2011163686.tif 000003
【図２】
2011163686.tif 000004
【図３】
2011163686.tif 000005
【図４】
2011163686.tif 000006
【図５】
2011163686.tif 000007
【図６】
2011163686.tif 000008
【図７】
2011163686.tif 000009
【図８】
2011163686.tif 000010
【図９】
2011163686.tif 000011
【図１０】
2011163686.tif 000012
【図１１】
2011163686.tif 000013